(57)【要約】【課題】  ディスプレイパネルの輝点の影響を減少するディスプレイユニットを提供する。【解決手段】  少なくとも１つのデータラインと少なくとも１つのスキャンラインによって形成されたディスプレイアレイを有するディスプレイパネルのディスプレイユニットであって、前記スキャンラインに接続された制御端子、前記データラインに接続された入力端子と、画素電極に接続された出力端子を有するスイッチユニット、前記画素電極と共通電圧信号を受ける共通電極の間に接続される液晶容量、前記画素電極と低ゲート信号を受ける基準電極に接続された蓄積コンデンサを含み、前記共通電圧信号の電圧レベルが前記低ゲート信号の電圧レベルと異なるディスプレイユニット。【選択図】      図３ａ
2007171958.tif 000002
【特許請求の範囲】
【請求項１】
少なくとも１つのデータラインと少なくとも１つのスキャンラインによって形成されたディスプレイアレイを有するディスプレイパネルのディスプレイユニットであって、
前記スキャンラインに接続された制御端子、前記データラインに接続された入力端子と、画素電極に接続された出力端子を有するスイッチユニット、
前記画素電極と共通電圧信号を受ける共通電極の間に接続される液晶容量、
前記画素電極と低ゲート信号を受ける基準電極に接続された蓄積コンデンサを含み、
前記共通電圧信号の電圧レベルが前記低ゲート信号の電圧レベルと異なるディスプレイユニット。
【請求項２】
前記低ゲート信号の電圧レベルは、前記共通電圧信号の電圧レベルより低い請求項１に記載のディスプレイユニット。
【請求項３】
前記スキャンラインは、第１電圧を有する前記スイッチユニットをオンにし、第２電圧を有する前記スイッチユニットをオフにする請求項１に記載のディスプレイユニット。
【請求項４】
前記低ゲート信号のレベルは、前記第２電圧に等しい請求項３に記載のディスプレイユニット。
【請求項５】
前記スイッチユニットは、Ｎ型トランジスタ、またはＰ型トランジスタからなる請求項４に記載のディスプレイユニット。
【請求項６】
ディスプレイユニットの輝点を暗点に変換する修復方法は、スキャンラインに接続された制御端子、データラインに接続された入力端子、画素電極に接続された出力端子、前記画素電極と共通電極の間に接続された液晶容量と、前記画素電極と基準電極に接続された蓄積コンデンサを有するスイッチユニットを含み、前記方法は、
前記スイッチユニットの前記入力端子を前記データラインから切断する、または前記出力端子を前記スイッチユニットから切断するステップ、および
前記画素電極と前記基準電極を一緒に接続するステップを含み、
前記共通電極の電圧レベルと前記基準電極の電圧レベルは異なる方法。
【請求項７】
前記基準電極の電圧レベルは、前記共通電極の電圧レベルより低い請求項６に記載の方法。
【請求項８】
前記スキャンラインは、第１電圧を有する前記スイッチユニットをオンにし、第２電圧を有する前記スイッチユニットをオフにする請求項６に記載の方法。
【請求項９】
前記基準電極の電圧レベルは、前記第２電圧に等しい請求項８に記載の方法。
【請求項１０】
前記スイッチユニットは、Ｎ型トランジスタ、またはＰ型トランジスタからなる請求項９に記載の方法。
【請求項１１】
複数のデータラインと複数のスキャンラインによって形成され、請求項１に記載の複数のディスプレイユニットを含み、前記スキャンラインが前記データラインと交差されるディスプレイアレイ、
前記データラインを制御するデータドライバ、および
前記スキャンラインを制御するスキャンドライバを含むディスプレイパネル。
【請求項１２】
請求項１１に記載のディスプレイパネル、および
前記ディスプレイパネルに動作可能に接続される制御器を含むディスプレイ装置。
【請求項１３】
請求項１２に記載のディスプレイ装置、および
前記ディスプレイ装置パネルに動作可能に接続される入力ユニットを含む電子装置。
【請求項１４】
前記電子装置は、ＰＤＡ、ディスプレイモニタ、ノート型コンピュータ、タブレット型コンピュータ、または携帯電話である請求項１３に記載の電子装置。
【請求項１５】
第１電位でバイアスされた液晶容量、
前記液晶容量に動作可能に並列接続され、第２電位でバイアスされ、前記第１と第２電位が異なる蓄積コンデンサ、
前記並列接続した液晶容量と蓄積コンデンサに接続されるスイッチユニットを含む液晶ディスプレイパネルのディスプレイユニット。
【請求項１６】
前記蓄積コンデンサと前記液晶容量の一端は、前記スイッチユニットに接続され、もう一端は、異なる電圧にそれぞれ接続される請求項１５に記載のディスプレイユニット。
【請求項１７】
データラインとスキャンラインを更に含み、前記スイッチユニットも前記スキャンラインと前記データラインに動作可能に接続される請求項１５に記載のディスプレイユニット。
【請求項１８】
前記スイッチユニットは、ソースとドレインを有するトランジスタを含み、
前記トランジスタの前記ドレインと前記ソース間で短絡が生じた場合、前記ソース、または前記ドレインが残りの回路から切断されて、且つ、前記蓄積コンデンサが短絡されることで前記液晶容量全体の電位差を維持する請求項１７に記載のディスプレイユニット。
【請求項１９】
前記電位差は、前記第１と前記第２電位間の差である請求項１８に記載のディスプレイユニット。
【請求項２０】
前記第１電位は、前記第２電位より高い請求項１９に記載のディスプレイユニット。
【発明の詳細な説明】
【技術分野】
【０００１】
本発明は、ディスプレイユニットに関し、特に、ディスプレイユニットの輝点の修復方法に関するものである。
【背景技術】
【０００２】
図１ａは、従来のＬＣＤパネルの概略図である。図１ａに示すように、ＬＣＤパネル１は、データドライバ１０、スキャンドライバ１１と、ディスプレイアレイ１２を含む。データドライバ１０は、複数のデータラインＤ1〜Ｄmを制御し、スキャンドライバ１１は、複数のスキャンラインＧ1〜Ｇnを制御する。ディスプレイアレイ１２は、交差したデータラインＤ1〜ＤmとスキャンラインＧ1〜Ｇnによって形成される。交差したデータラインＤmとスキャンラインＧnは、ディスプレイユニットに対応する。例えば、交差したデータラインＤ1とスキャンラインＧ1は、ディスプレイユニット１００に対応する。各ディスプレイユニットでは、ディスプレイユニット１００の等価回路は、薄膜トランジスタ（ＴＦＴ）Ｔ１０、蓄積コンデンサＣｓ１０と、液晶容量Ｃｌｃ１０を含む。ＴＦＴ Ｔ１０は、スキャンラインＧ1に接続されたゲート端子、データラインＤ1に接続されたドレイン端子と、画素電極ＰＥに接続されたソース電極を有する。蓄積コンデンサＣｓ１０は、画素電極ＰＥと基準電極ＲＥの間に接続され、ビデオ信号の電圧を保存する。液晶容量Ｃｌｃ１０は、画素電極ＰＥと共通電極ＣＥの間に接続される。従来のＬＣＤプロセスでは、基準電極ＲＥと共通電極ＣＥは、接続され、両方とも共通電圧Ｖｃｏｍを受ける。
【０００３】
図１ｂは、スキャンラインＧ1〜Ｇnに接続された電圧と、共通電極に接続された共通電圧の概略図である。図１ａと１ｂを参照下さい。スキャンドライバ１１は、スキャン制御信号に基づいてスキャン信号をスキャンラインＧ1〜Ｇnに順次に出力する。高ゲート電圧Ｖｈｉのスキャン信号を受けた時、スキャンラインは列に対応して、列に対応したＴＦＴをオンにする。その他の列に対応したその他のＴＦＴは、低ゲート電圧Ｖｌｏを受けたその他のスキャンラインによってオフにされる。列に対応したＴＦＴが全てＯＮにされた時、データドライバ１０は、後に表示する画像データに基づいて、データラインＤ1〜Ｄmを通して、グレースケール値を有する対応したビデオ信号を列に対応したｍディスプレイユニットに出力する。毎回、スキャンドライバ１１が全ｎ列のスキャンを終えた時、単一フレームの表示が完了する。よって、画像表示の目的は、スキャンラインを繰り返しスキャンし、ビデオ信号を出力することで達成される。
【０００４】
図２は、ディスプレイユニット１００の構造の断面概略図である。カラーフィルターＣＦは、上基板２０の下に形成され、共通電極ＣＥは、カラーフィルターＣＦの下に形成される。ＴＦＴ Ｔ１０と基準電極ＲＥは、下基板２１の上に形成される。誘電体層ＤＬ２０は、ＴＦＴ Ｔ１０と基準電極ＲＥの上に形成される。画素電極ＰＥは、誘電体層ＤＬ２０の上に形成され、ビアホールＨ２０を介してＴＦＴ Ｔ１０と電気的接続される。図２を参照下さい。液晶容量Ｃｌｃ１０は、共通電極ＣＥと画素電極ＰＥの間に形成され、蓄積コンデンサＣｓ１０は、画素電極ＰＥと基準電極ＲＥの間に形成される。
【０００５】
実際には、蓄積コンデンサＣｓ１０の漏電は、画素電極ＰＥと基準電極ＲＥ間の不純物と、その間の短絡によって生じる可能性がある。従って、画素電極ＰＥと基準電極ＲＥは、共通電圧Ｖｃｏｍからなる同じ電位を有する。よって、画素電極ＰＥと共通電極ＣＥの間に電圧差がなく、液晶容量Ｃｌｃ１０内の液晶分子がねじれない。よって、ＬＣＤパネルがノーマリホワイトモードの時、輝点が現れ、ＬＣＤの画像品質を低下させる。
【発明の開示】
【発明が解決しようとする課題】
【０００６】
本発明は、ディスプレイパネルの輝点の影響を減少するディスプレイユニットを提供する。
【課題を解決するための手段】
【０００７】
１つの実施例では、一般的に蓄積コンデンサと液晶容量の一端は、画素電極に接続され、もう一端は、異なる電圧にそれぞれ接続される。もう１つの実施例では、液晶容量のもう一端は、共通電圧に接続され、蓄積コンデンサのもう一端は、低ゲート電圧に接続され、共通電圧と低ゲート電圧は異なる。
【０００８】
本発明のもう１つの態様では、ディスプレイユニットは、回路の修復を促進し、輝点の影響を減少する効果的な回路構造を提供する。１つの実施例では、ディスプレイユニットは、スキャンラインとデータラインと、異なる電位で並列接続された液晶容量と蓄積コンデンサに接続されたトランジスタスイッチ（ｅ.ｇ．ＴＦＴ）を含む。トランジスタのドレインとソース間で短絡が生じた場合、ディスプレイユニットを修復し、輝点を減少するには、ソース、またはドレインが残りの回路から切断されて、且つ、蓄積コンデンサが短絡されることで液晶容量全体の電位差を供給する。
【０００９】
ディスプレイユニットの模範的な実施例は、少なくとも１つのデータラインと少なくとも１つのスキャンラインによって形成されたディスプレイアレイを有するディスプレイパネルに用いられ、スイッチユニット、液晶容量と、蓄積コンデンサを含む。スイッチユニットは、スキャンラインに接続された制御端子、データラインに接続された入力端子と、画素電極に接続された出力端子を有する。液晶容量は、画素電極と共通電圧信号を受ける共通電極の間に接続される。蓄積コンデンサは、画素電極と低ゲート信号を受ける基準電極に接続される。共通電圧信号の電圧レベルは、低ゲート信号の電圧レベルと異なる。
【００１０】
ディスプレイユニットの輝点を暗点に変換する修復方法が提供される。ディスプレイユニットは、スキャンラインに接続された制御端子、データラインに接続された入力端子、画素電極に接続された出力端子、画素電極と共通電極の間に接続された液晶容量と、画素電極と基準電極に接続された蓄積コンデンサを有するスイッチユニットを含む。修復方法の模範的な実施例は、スイッチユニットの入力端子をデータラインから切断するステップ、画素電極を基準電極に接続するステップを含み、共通電極の電圧レベルと基準電極の電圧レベルは異なる。
【発明の効果】
【００１１】
本発明の１つの態様に基づくと、ディスプレイユニットは、異なる電位でバイアスされた並列接続した液晶容量と蓄積コンデンサを含む。この配置では、蓄積コンデンサが短絡を生じた場合、液晶容量は、バイアスされた状態を維持し、ディスプレイパネルの輝点の表示を減少する。
【発明を実施するための最良の形態】
【００１２】
本発明についての目的、特徴、長所が一層明確に理解されるよう、以下に実施形態を例示し、図面を参照にしながら、詳細に説明する。
【実施例】
【００１３】
ディスプレイパネルが提供される。図３ａに示すように、いくつかの実施例では、ディスプレイパネル３は、ノーマリホワイトモードにあり、データドライバ３０、スキャンドライバ３１と、ディスプレイアレイ３２を含む。データドライバ３０は、複数のデータラインＤ1〜Ｄmを制御し、スキャンドライバ３１は、複数のスキャンラインＧ1〜Ｇnを制御する。ディスプレイアレイ３２は、交差したデータラインＤ1〜ＤmとスキャンラインＧ1〜Ｇnによって形成される。交差したデータラインＤmとスキャンラインＧnは、ディスプレイユニットに対応する。例えば、交差したデータラインＤ1とスキャンラインＧ1は、ディスプレイユニット３００に対応する。各ディスプレイユニットでは、ディスプレイユニット３００の等価回路は、スイッチユニットＵ３、蓄積コンデンサＣｓ３０と、液晶容量Ｃｌｃ３０を含む。図３ａの実施例では、スイッチユニットＵ３は、例えばＮ型ＴＦＴ、またはＰ型ＴＦＴの薄膜トランジスタ（ＴＦＴ）Ｔ３０であることができる。ＴＦＴ Ｔ３０のゲート、ドレインと、ソース端子は、スイッチユニットＵ３の制御、入力と、出力端子としてそれぞれ機能する。ＴＦＴ Ｔ３０のゲート端子は、スキャンラインＧ1に接続され、ＴＦＴ Ｔ３０のドレイン端子は、データラインＤ1に接続され、ＴＦＴ Ｔ３０のソース端子は、画素電極ＰＥに接続される。蓄積コンデンサＣｓ３０は、画素電極ＰＥと基準電極ＲＥの間に接続され、液晶容量Ｃｌｃ３０は、画素電極ＰＥと共通電極ＣＥの間に接続される。
【００１４】
図３ｂは、図３ａのディスプレイパネルのスキャンラインＧ1〜Ｇnに接続された電圧と、共通電極に接続された共通電圧の概略図である。図３ａと３ｂを参照下さい。ディスプレイユニット３００を例に詳細を説明する。スキャンドライバ３１は、スキャン制御信号に基づいて高ゲート電圧Ｖｈｉを有するスキャン信号をスキャンラインＧ1に出力する。スキャン信号を受けた時、スキャンラインＧ1は、ディスプレイユニット３００内のＴＦＴ Ｔ３０をオンにする。ＴＦＴ Ｔ３０がオンにされた時、データドライバ３０は、データラインＤ1を通して、データ電圧Ｖｄａｔａを有する対応したビデオ信号をディスプレイユニット３００に出力する。同時に、画素電極ＰＥの電圧レベルは、データ電圧Ｖｄａｔａに等しい。逆に、スキャンドライバ３１がスキャン制御信号に基づいて低ゲート電圧Ｖｌｏを有するスキャン信号をスキャンラインＧ1に出力した時、スキャンラインＧ1は、ＴＦＴ Ｔ３０をオフにする。
【００１５】
本発明の１つの実施例に基づいて、共通電極ＣＥは、共通電圧Ｖｃｏｍを有する共通電圧信号Ｓｃｏｍを受け、基準電極ＲＥは、低ゲート電圧Ｖｌｏを有する低ゲート信号を受ける。低ゲート電圧Ｖｌｏと共通電圧Ｖｃｏｍのレベルは異なる。この実施例では、低ゲート電圧のレベルは、共通電圧Ｖｃｏｍのレベルより低い。プロセスの間に生じた画素電極ＰＥと基準電極ＲＥ間の不純物により画素電極ＰＥと基準電極ＲＥ間に短絡が発生した時、画素電極ＰＥの電位は、基準電極ＲＥの電圧レベルに等しく、即ち、低ゲート電圧Ｖｌｏに等しい。画素電極ＰＥと基準電極ＲＥ間には、まだ電圧差があり、液晶容量Ｃｌｃ３０内の液晶分子は、電圧差によってまだねじれることがある。よって、ディスプレイユニットのプロセスが短絡を生じた時、輝点が減少され、画像品質を改善する。
【００１６】
ディスプレイユニット３００の製造プロセスでは、短絡がＴＦＴ Ｔ３０のドレインとソース端子間に生じ、ＴＦＴ Ｔ３０を常にオン状態にさせて、ディスプレイユニット３００に輝点が現れることがある。図４は、ディスプレイパネルのディスプレイユニットの輝点を暗点に変換する修復方法の実施例の流れ図である。図３ａと４を参照下さい。ＴＦＴ Ｔ３０のドレインとソース端子間の短絡により、ディスプレイユニット３００に輝点が現れた時、ＴＦＴ Ｔ３０のドレイン端子は、レーザー光線によってデータラインＤ1から分離されるため（ステップＳ４０）、データラインＤ1のビデオ信号がディスプレイユニット３００に伝送されることができない。また、画素電極ＰＥは、レーザー光線によって基準電極ＲＥと接続するように構成される（ステップＳ４１）。言い換えれば、画素電極ＰＥと基準電極ＲＥの電圧レベルは、同じである。よって、液晶容量Ｃｌｃ３０内の液晶分子は、画素電極ＰＥと共通電極ＣＥ間の電圧差に基づいてねじることができる。よって、輝点は、明るさ、または暗さが低くなる。
【００１７】
図５は、上述のディスプレイパネル３を用いたディスプレイ装置５を概略的に表している。一般的に、ディスプレイ装置５は、制御器５０と、図３ａに示されたディスプレイパネル３などを含む。制御器５０は、ディスプレイパネル３に動作可能に接続され、例えば、クロック信号、スタートパルス、または画像データなどの制御信号をディスプレイパネル３に提供する。
【００１８】
図６は、上述のディスプレイ装置５を用いた電子装置６を概略的に表している。電子装置６は、例えば、ＰＤＡ、ノート型コンピュータ、タブレット型コンピュータ、携帯電話、またはディスプレイモニタ装置などであることができる。一般的に、電子装置６は、図５に示された入力ユニット６０とディスプレイ装置５を含む。また、入力ユニット６０は、ディスプレイ装置５に動作可能に接続され、入力信号（ｅ.ｇ．画像信号）をディスプレイ装置５に提供する。ディスプレイ装置５の制御器５０は、入力信号に基づいて制御信号をディスプレイパネル３に提供する。
【００１９】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２０】
【図１ａ】従来のＬＣＤパネルの概略図である。
【図１ｂ】図１ａの従来のＬＣＤのスキャンラインＧ1〜Ｇnに接続された電圧と、共通電極に接続された共通電圧の概略図である。
【図２】本発明の１つの実施例に基づいたディスプレイユニット１００の断面概略図である。
【図３ａ】本発明に基づいたディスプレイパネルの実施例を表している。
【図３ｂ】図３ａのディスプレイパネルのスキャンラインＧ1〜Ｇnに接続された電圧と、共通電極に接続された共通電圧の概略図である。
【図４】本発明に基づいたディスプレイユニットの輝点を減少する修復方法の実施例の流れ図である。
【図５】図３ａに示されたディスプレイパネル装置を用いたディスプレイ装置の概略図である。
【図６】図５に示されたディスプレイ装置を用いた電子装置の概略図である。
【符号の説明】
【００２１】
１、３  ＬＣＤパネル
１０、３０  データドライバ
１１、３１  スキャンドライバ
１２、３２  ディスプレイアレイ
１００、３００  ディスプレイユニット
ＣＥ  共通電極
Ｃｌｃ１０、Ｃｌｃ３０  液晶容量
Ｃｓ１０、Ｃｓ３０  蓄積コンデンサ
Ｄ1〜Ｄm  データライン
Ｇ1〜Ｇn  スキャンライン
ＰＥ  画素電極
ＲＥ  基準電極
Ｔ１０、Ｔ３０  ＴＦＴ
Ｖｃｏｍ  共通電圧
Ｖｈｉ  高ゲート電圧
Ｖｌｏ  低ゲート電圧
２０  上基板
２１  下基板
ＣＦ  カラーフィルター
ＤＬ２０  誘電体層
Ｈ２０  ビアホール
Ｕ３  スイッチユニット
５  ディスプレイ装置
５０  制御器
６  電子装置
６０  入力ユニット
【図１ａ】
2007171958.tif 000003
【図１ｂ】
2007171958.tif 000004
【図２】
2007171958.tif 000005
【図３ａ】
2007171958.tif 000006
【図３ｂ】
2007171958.tif 000007
【図４】
2007171958.tif 000008
【図５】
2007171958.tif 000009
【図６】
2007171958.tif 000010